(57)【要約】【課題】光源の一部が故障した場合に、特定の画像の表示を維持しつつ、特定の画像の視認性の低下を抑制できる液晶表示装置を提供する。【解決手段】液晶表示装置１において、液晶パネル１０は、画像を表示する。光源２０は、液晶パネル１０を照明する複数の発光領域２２を含む。故障検出部８０は、光源２０の複数の発光領域２２の故障を検出し、故障した発光領域と正常な発光領域を特定する。表示制御部５０は、液晶パネル１０に画像を表示させる。表示制御部５０は、故障した発光領域と正常な発光領域が存在する場合、故障した発光領域に対応する液晶パネル１０の表示領域に表示される特定の画像を、正常な発光領域に対応する液晶パネル１０の表示領域に、大きさを維持したまま移動させる。【選択図】図１
2018159796.tif 000002
【特許請求の範囲】
【請求項１】
画像を表示する液晶パネルと、
前記液晶パネルを照明する複数の発光領域を含む光源と、
前記光源の前記複数の発光領域の故障を検出し、故障した発光領域と正常な発光領域を特定する故障検出部と、
前記液晶パネルに画像を表示させる表示制御部と、を備え、
前記表示制御部は、前記故障した発光領域と前記正常な発光領域が存在する場合、前記故障した発光領域に対応する前記液晶パネルの表示領域に表示される特定の画像を、前記正常な発光領域に対応する前記液晶パネルの表示領域に、大きさを維持したまま移動させる、
ことを特徴とする液晶表示装置。
【請求項２】
前記液晶パネルは、車両に搭載され、
前記表示制御部は、前記特定の画像として前記車両のテルテールを表示させる、
ことを特徴とする請求項１に記載の液晶表示装置。
【請求項３】
前記表示制御部は、
前記液晶パネルの一部の表示領域に画像を非表示にさせ、
前記故障した発光領域に対応する前記液晶パネルの表示領域に表示される前記特定の画像を、前記正常な発光領域に対応する前記液晶パネルの非表示の表示領域に、大きさを維持したまま移動させる、
ことを特徴とする請求項１または２に記載の液晶表示装置。
【請求項４】
前記表示制御部は、
画像を表示している前記液晶パネルの表示領域に対応する発光領域の輝度を第１の値に設定し、
画像を非表示の前記液晶パネルの表示領域に対応する発光領域の輝度を、前記第１の値より低い第２の値に設定し、
前記故障した発光領域に対応する前記液晶パネルの表示領域に表示される前記特定の画像を、画像を非表示の前記液晶パネルの表示領域に、大きさを維持したまま移動させるとき、当該表示領域に対応する発光領域の輝度を前記第２の値から前記第１の値に増加させる、
ことを特徴とする請求項３に記載の液晶表示装置。
【請求項５】
前記表示制御部は、前記故障した発光領域に対応する前記液晶パネルの表示領域に表示される前記特定の画像を、前記故障した発光領域に隣接している前記正常な発光領域に対応する前記液晶パネルの表示領域に、大きさを維持したまま移動させる、
ことを特徴とする請求項１から４のいずれかに記載の液晶表示装置。
【請求項６】
前記表示制御部は、前記故障した発光領域に対応する前記液晶パネルの表示領域に表示される前記特定の画像を、前記正常な発光領域に対応する前記液晶パネルの表示領域に、大きさを維持したまま移動させるとき、前記特定の画像と対となる画像も、前記特定の画像と線対称な位置に移動させる、
ことを特徴とする請求項１から５のいずれかに記載の液晶表示装置。
【請求項７】
前記表示制御部は、前記故障した発光領域に対応する前記液晶パネルの表示領域に表示される前記特定の画像を、前記正常な発光領域に対応する前記液晶パネルの表示領域に、大きさを維持したまま移動させるとき、前記特定の画像以外の画像の表示位置を維持する、
ことを特徴とする請求項１から５のいずれかに記載の液晶表示装置。
【請求項８】
前記故障検出部は、前記複数の発光領域の故障を定期的に検出し、
前記表示制御部は、前記故障した発光領域に対応する前記液晶パネルの表示領域に表示される前記特定の画像を、前記正常な発光領域に対応する前記液晶パネルの表示領域に、大きさを維持したまま移動させる前に、前記液晶パネルに故障を表す情報を表示させる、
ことを特徴とする請求項１から７のいずれかに記載の液晶表示装置。
【発明の詳細な説明】
【技術分野】
【０００１】
本発明は、画像を表示する液晶表示装置に関する。
【背景技術】
【０００２】
液晶表示装置には、液晶パネルを照明するバックライトが搭載されている。バックライトの一部が故障した場合、故障部分に対応する画像を視認することが困難になる。液晶表示装置の一部の故障に対処する技術として、液晶表示装置の故障箇所を検出し、画面の全体に表示されていた画像を縮小して、画面の表示可能領域に表示させる技術が知られている（例えば、特許文献１参照）。
【先行技術文献】
【特許文献】
【０００３】
【特許文献１】特開２０１０−１０７９３３号公報
【発明の概要】
【発明が解決しようとする課題】
【０００４】
上記技術では、画像の全体が縮小されるので、目立たせたい特定の画像が存在し、特定の画像が比較的小さい場合、縮小された特定の画像の視認性が低下する可能性がある。
【０００５】
本発明はこうした状況に鑑みてなされたものであり、その目的は、光源の一部が故障した場合に、特定の画像の表示を維持しつつ、特定の画像の視認性の低下を抑制できる液晶表示装置を提供することにある。
【課題を解決するための手段】
【０００６】
上記課題を解決するために、本発明のある態様の液晶表示装置は、画像を表示する液晶パネルと、液晶パネルを照明する複数の発光領域を含む光源と、光源の複数の発光領域の故障を検出し、故障した発光領域と正常な発光領域を特定する故障検出部と、液晶パネルに画像を表示させる表示制御部と、を備える。表示制御部は、故障した発光領域と正常な発光領域が存在する場合、故障した発光領域に対応する液晶パネルの表示領域に表示される特定の画像を、正常な発光領域に対応する液晶パネルの表示領域に、大きさを維持したまま移動させる。
【０００７】
なお、以上の構成要素の任意の組合せ、本発明の表現を方法、装置、システム、記録媒体、コンピュータプログラムなどの間で変換したものもまた、本発明の態様として有効である。
【発明の効果】
【０００８】
本発明によれば、光源の一部が故障した場合に、特定の画像の表示を維持しつつ、特定の画像の視認性の低下を抑制できる。
【図面の簡単な説明】
【０００９】
【図１】一実施形態に係る液晶表示装置の構成を示す図である。
【図２】光源が正常な場合の図１の液晶パネルに表示された通常の画像の一例を示す図である。
【図３】発光領域が故障した場合の図１の液晶パネルに表示された画像の一例を示す図である。
【図４】図１の液晶表示装置の動作を示すフローチャートである。
【図５】図５（ａ）は、変形例に係る、光源が正常な場合の液晶パネルに表示されたテルテールの一例を示す図であり、図５（ｂ）は、変形例に係る、発光領域が故障した場合の液晶パネルに表示されたテルテールの一例を示す図である。
【図６】図６（ａ）は、変形例に係る、光源が正常な場合の液晶パネルに表示されたテルテールの一例を示す図であり、図６（ｂ）は、変形例に係る、発光領域が故障した場合の液晶パネルに表示されたテルテールの一例を示す図である。
【図７】変形例に係る液晶表示装置の動作を示すフローチャートである。
【発明を実施するための形態】
【００１０】
図１は、一実施形態に係る液晶表示装置１の構成を示す図である。液晶表示装置１は、自動車などの車両に搭載されている液晶メータであると想定する。液晶表示装置１は、液晶パネル１０と、光源２０と、制御部３０と、記憶部４０と、表示制御部５０と、タイミング制御部６０と、複数の駆動回路７０と、複数の駆動回路７２と、故障検出部８０とを備える。
【００１１】
液晶パネル１０は、車両の車室内に配置され、液晶メータの画像を表示する。光源２０は、液晶パネル１０の背面側に配置され、液晶パネル１０を照明する直下型の面状のバックライトである。光源２０は、液晶パネル１０を照明する複数の発光領域２２を含む。複数の発光領域２２は、マトリクス状に配置されている。発光領域２２の数は、特に限定されない。それぞれの発光領域２２の輝度は、変更可能である。それぞれの発光領域２２には、図示を省略したＬＥＤ（発光ダイオード）が配置されている。
【００１２】
制御部３０は、ＣＰＵ（Central Processing Unit）から構成される。制御部３０には、液晶表示装置１の外部から、起動信号ＳＡと、表示データＤＡＴとが供給される。起動信号ＳＡは、運転者が所持する電子キーが操作された場合、または、車両のイグニッションスイッチがオンになった場合などに供給される信号である。表示データＤＡＴは、車両の車速などの車両情報、および、各種のテルテールを表示させるか否かを示す情報などを含む。起動信号ＳＡと表示データＤＡＴは、ＣＡＮ（Controller Area Network）バスで供給される。制御部３０は、起動信号ＳＡを受信した場合、動作を開始する。制御部３０は、表示データＤＡＴを表示制御部５０で扱えるように処理して、表示制御部５０に供給する。記憶部４０は、ＥＥＰＲＯＭなどから構成され、各種データを記憶している。
【００１３】
表示制御部５０は、ＧＰＵ（Graphics Processing Unit）から構成される。表示制御部５０は、画像の形態や画像の表示位置などの画像表示に必要な各種データを記憶部４０から読み出す。表示制御部５０は、制御部３０と記憶部４０から供給されたデータに基づいて画像データを生成し、生成された画像データを、図示しない駆動回路を介して液晶パネルに供給し、液晶パネル１０に液晶メータの画像を表示させる。
【００１４】
表示制御部５０は、生成された画像データに基づいて、タイミング制御部６０、駆動回路７０および駆動回路７２を介して光源２０を制御し、それぞれの発光領域２２の輝度を制御する。表示制御部５０は、液晶パネル１０に表示させる画像に応じて光源２０の発光領域２２ごとの輝度を変化させる。このような制御は、ローカルディミングと呼ばれる。表示制御部５０の詳細は後述する。
【００１５】
タイミング制御部６０は、表示制御部５０の制御に従って、輝度情報とタイミング情報を含むタイミング信号を生成し、複数の駆動回路７０と複数の駆動回路７２に供給する。駆動回路７０は、それぞれ、タイミング信号に従って、対応する行の発光領域２２のＬＥＤを駆動する。駆動回路７２は、それぞれ、タイミング信号に従って、対応する列の発光領域２２のＬＥＤを駆動する。駆動回路７０と駆動回路７２は、それぞれ、ループバック回路として構成され、公知のループバック技術を用いて発光領域２２の故障を検出し、検出結果を故障検出部８０に供給する。
【００１６】
故障検出部８０は、駆動回路７０と駆動回路７２の検出結果に基づき、光源２０の複数の発光領域２２の故障を検出し、故障した発光領域２２と正常な発光領域２２を特定する。故障検出部８０は、故障した発光領域２２と正常な発光領域２２を識別するための情報を表示制御部５０に供給する。本実施形態では、故障検出部８０は、制御部３０が起動信号ＳＡを受信した場合に、故障検出を一回行う。
【００１７】
次に、図２と図３を参照して、表示制御部５０の詳細について説明する。図２は、光源２０が正常な場合の図１の液晶パネル１０に表示された通常の画像の一例を示す図である。図２では、光源２０の複数の発光領域２２と、それぞれの発光領域２２に配置されたＬＥＤ２４とを、液晶パネル１０に表示された画像に重ねて示している。発光領域２２は、それぞれ、液晶パネル１０における対応する表示領域１２を照明する。発光領域２２は、それぞれ、対応する表示領域１２に重なっている。以下では、複数の表示領域１２のそれぞれを区別する場合、表示領域１２ａ，１２ｂ等と称す。複数の発光領域２２のそれぞれを区別する場合、発光領域２２ａ，２２ｂ等と称す。
【００１８】
表示制御部５０は、複数の発光領域２２のうちの発光領域２２ａが正常な場合、発光領域２２ａにより照明される液晶パネル１０の表示領域１２ａに、特定の画像である車両のテルテール１００を表示させる。テルテール１００は、左側の方向指示器のテルテールである。
【００１９】
表示制御部５０は、発光領域２２ｃが正常な場合、発光領域２２ｃにより照明される液晶パネル１０の表示領域１２ｃに、特定の画像に関連した別の特定の画像であるテルテール１０２を表示させる。発光領域２２ｃは、液晶パネル１０の中心付近を上下方向に通る対称軸ＡＸ１に対して発光領域２２ａと線対称な位置に配置されている。テルテール１０２は、テルテール１００と対になる右側の方向指示器のテルテールである。テルテール１００とテルテール１０２は、左右対称に表示される。図示する例では、説明を明確化するため、テルテール１００とテルテール１０２が表示されているが、車両の方向指示スイッチの操作に応じて一方のテルテールが点滅表示され、また、車両のハザードウオーニングスイッチの操作に応じてテルテール１００とテルテール１０２が点滅表示される。
【００２０】
表示制御部５０は、発光領域２２ｅが正常な場合、発光領域２２ｅにより照明される液晶パネル１０の表示領域１２ｅに、特定の画像であるテルテール１０４を表示させる。テルテール１０４は、ポジションランプのテルテールである。
【００２１】
表示制御部５０は、発光領域２２ｆが正常な場合、発光領域２２ｆにより照明される液晶パネル１０の表示領域１２ｆに、特定の画像であるテルテール１０６を表示させる。テルテール１０６は、シートベルト警告灯のテルテールである。
【００２２】
表示制御部５０は、発光領域２２ａと発光領域２２ｂが正常な場合、発光領域２２ｂにより照明される液晶パネル１０の表示領域１２ｂに画像を非表示にさせる。発光領域２２ｂは、発光領域２２ａの左側に位置し、発光領域２２ａに隣接している。表示領域１２ｂは、表示領域１２ａの左側に位置し、表示領域１２ａに隣接している。画像を非表示にさせるとは、例えば、黒表示させることを表す。
【００２３】
表示制御部５０は、発光領域２２ｃと、対称軸ＡＸ１に対して発光領域２２ｂと線対称な位置の発光領域２２ｄとが正常な場合、発光領域２２ｄにより照明される液晶パネル１０の表示領域１２ｄに画像を非表示にさせる。発光領域２２ｄは、発光領域２２ｃの右側に位置し、発光領域２２ｃに隣接している。表示領域１２ｄは、表示領域１２ｃの右側に位置し、表示領域１２ｃに隣接している。
【００２４】
表示制御部５０は、液晶パネル１０の表示領域１２ａ、表示領域１２ｂ、表示領域１２ｃ、表示領域１２ｄ、表示領域１２ｅおよび表示領域１２ｆ以外の所定の複数の表示領域１２に、車両の速度を示すスピードメータ１５０、および、エンジンの回転数を示すタコメータ１６０の画像を表示させる。
【００２５】
ローカルディミングにより、例えば、テルテール１００，１０２，１０４，１０６、スピードメータ１５０、および、タコメータ１６０を照明する発光領域２２の輝度は、これら以外の発光領域２２の輝度より高く制御される。例えば、表示制御部５０は、発光領域２２ａおよび発光領域２２ｃの輝度を第１の値に設定する。表示制御部５０は、液晶パネル１０の表示領域１２ｂおよび表示領域１２ｄに画像を非表示にさせている間、発光領域２２ｂおよび発光領域２２ｄの輝度を、第１の値より低い第２の値に設定する。このとき、表示制御部５０は、第２の値を実質的にゼロに設定し、発光領域２２ｂおよび発光領域２２ｄを消灯させてもよい。
【００２６】
なお、液晶パネル１０には、テルテール１００，１０２，１０４，１０６以外のテルテールも、特定の画像として表示され得る。テルテールの大きさ、数、位置も、特に限定されない。
【００２７】
図３は、発光領域２２ａが故障した場合の図１の液晶パネル１０に表示された画像の一例を示す図である。図３では、発光領域２２ａ以外の発光領域２２は、正常である。表示制御部５０は、液晶パネル１０の表示可能領域を認識する。図３の場合、表示可能領域は、表示領域１２ａ以外の表示領域１２である。
【００２８】
表示制御部５０は、発光領域２２ａが故障し、発光領域２２ｂが正常な場合、発光領域２２ａが正常な場合のテルテール１００の大きさを維持したまま、テルテール１００の表示位置を、画像が非表示の表示領域１２ｂに移動させる。また、表示制御部５０は、この場合、表示領域１２ｃに表示された場合のテルテール１０２の大きさを維持したまま、テルテール１０２の表示位置を、画像が非表示の表示領域１２ｄに移動させる。つまり、表示制御部５０は、テルテール１００と対となるテルテール１０２も、テルテール１００と線対称な位置に移動させる。
【００２９】
また、表示制御部５０は、テルテール１００，１０２を移動させるとき、テルテール１００，１０２以外のスピードメータ１５０とタコメータ１６０の画像、および、表示領域１２ｅと表示領域１２ｆのテルテール１０４，１０６の表示位置を維持する。即ち、表示制御部５０は、この場合、スピードメータ１５０とタコメータ１６０の画像、および、テルテール１０４，１０６を変化させない。
【００３０】
表示制御部５０は、テルテール１００の表示位置を表示領域１２ｂに移動させ、テルテール１０２の表示位置を表示領域１２ｄに移動させた場合、発光領域２２ｂおよび発光領域２２ｄの輝度を第２の値から第１の値に増加させる。
【００３１】
表示制御部５０は、この場合、液晶パネル１０に、故障を表す情報２００を表示させる。図３の例では、故障を表す情報２００は、「Display故障  交換が必要」という文字情報である。
【００３２】
発光領域２２ａではなく発光領域２２ｃが故障した場合にも、以上と同様に、テルテール１００の表示位置が表示領域１２ｂに移動され、テルテール１０２の表示位置が表示領域１２ｄに移動される。
【００３３】
図示は省略するが、発光領域２２ｅが故障した場合にも、以上と同様に、テルテール１０４の表示位置が、表示領域１２ｅの左側の画像が非表示の表示領域１２に移動される。発光領域２２ｆが故障した場合にも、以上と同様に、テルテール１０６の表示位置が、表示領域１２ｆの右側の画像が非表示の表示領域１２に移動される。テルテール１０４は、テルテール１０６に関連していないので、テルテール１０６の表示位置の制御とは無関係に表示位置が制御される。
【００３４】
制御部３０、表示制御部５０、タイミング制御部６０、および、故障検出部８０の構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、この機能ブロックがハードウエアのみ、ハードウエアとソフトウエアの組合せによっていろいろな形で実現できることは、当業者には理解されるところである。
【００３５】
次に、以上の構成による液晶表示装置１の動作を説明する。図４は、図１の液晶表示装置１の動作を示すフローチャートである。制御部３０が起動信号ＳＡを受信すると（Ｓ１０）、故障検出部８０は光源２０の故障を検出し（Ｓ１２）、故障がある場合（Ｓ１４のＹ）、表示制御部５０は、表示可能領域を認識する（Ｓ１６）。表示制御部５０は、特定の画像であるテルテールを移動させ（Ｓ１８）、液晶パネル１０に故障を表す情報２００を表示させる（Ｓ２０）。一方、Ｓ１４で故障がない場合（Ｓ１４のＮ）、表示制御部５０は、液晶パネル１０に通常の画像を表示させる（Ｓ２２）。
【００３６】
このように、本実施形態によれば、発光領域２２ａが故障し、発光領域２２ｂが正常な場合、発光領域２２ａが正常な場合のテルテール１００の大きさを維持したまま、テルテール１００の表示位置を、発光領域２２ｂにより照明される表示領域１２ｂに移動させる。これにより、光源２０の一部が故障した場合に、特定の画像であるテルテール１００の表示を維持しつつ、テルテール１００の視認性の低下を抑制できる。そのため、運転者は、液晶表示装置１が修理または交換されるまでの間、テルテール１００を視認しやすい。
【００３７】
また、発光領域２２ａが故障した場合、テルテール１００を、画像が非表示の表示領域１２ｂに移動させるので、他の画像に影響を及ぼさないようにできる。
【００３８】
また、発光領域２２ａの輝度を第１の値に設定し、表示領域１２ｂに画像を非表示にさせている間、発光領域２２ｂの輝度を、第１の値より低い第２の値に設定している。そして、テルテール１００の表示位置を表示領域１２ｂに移動させた場合、発光領域２２ｂの輝度を第１の値に増加させる。これにより、光源２０の消費電力を抑制でき、光源２０の発熱を抑制でき、画像のコントラストを向上できる。
【００３９】
さらに、テルテール１００を、故障した発光領域２２ａに隣接している正常な発光領域２２ｂに対応する表示領域１２ｂに移動させるので、テルテール１００の移動距離を最小にできる。従って、運転者に違和感を感じさせ難くできる。
【００４０】
また、テルテール１００の表示位置を表示領域１２ｂに移動させた場合、テルテール１００と対となるテルテール１０２も、テルテール１００と線対称な位置に移動させる。このように、対称性を保ったままテルテール１００とテルテール１０２を移動させるので、一方のテルテールのみを移動させる場合と比較して、運転者に違和感を感じさせ難くできる。
【００４１】
また、テルテール１００，１０２を移動させるとき、テルテール１００，１０２以外のスピードメータ１５０とタコメータ１６０の画像、および、表示領域１２ｅと表示領域１２ｆのテルテール１０４，１０６の表示位置を維持するので、画像の変更を最小限にできる。従って、運転者に違和感を感じさせ難くできる。
【００４２】
以上、本発明について、実施形態をもとに説明した。この実施形態は例示であり、それらの各構成要素あるいは各処理プロセスの組合せにいろいろな変形例が可能なこと、また、そうした変形例も本発明の範囲にあることは当業者に理解されるところである。
【００４３】
例えば、以上の実施形態では、テルテールは、１つの発光領域２２により照明される１つの表示領域１２に表示される一例について説明したが、テルテールは、それぞれ異なる発光領域２２により照明される２以上の表示領域１２に跨って表示されてもよい。テルテールが２つの表示領域１２に跨って表示される一例について、図５（ａ）、図５（ｂ）、図６（ａ）および図６（ｂ）を参照して以下に説明する。
【００４４】
図５（ａ）は、変形例に係る、光源２０が正常な場合の液晶パネル１０に表示されたテルテール１００ａの一例を示す図であり、図５（ｂ）は、変形例に係る、発光領域２２ａが故障した場合の液晶パネル１０に表示されたテルテール１００ａの一例を示す図である。
【００４５】
図５（ａ）に示すように、表示制御部５０は、発光領域２２ａと発光領域２２ｂが正常な場合、表示領域１２ａと表示領域１２ｂに１つのテルテール１００ａを表示させる。
【００４６】
図５（ｂ）に示すように、表示制御部５０は、発光領域２２ａが故障し、発光領域２２ｂと発光領域２２ｈが正常な場合、発光領域２２ａと発光領域２２ｂが正常な場合のテルテール１００ａの大きさを維持したまま、テルテール１００ａの表示位置を、表示領域１２ｂおよび表示領域１２ｈに移動させる。表示領域１２ｈは、発光領域２２ｈにより照明される。表示領域１２ｈは、表示領域１２ｂの左側に位置し、表示領域１２ｂに隣接する。発光領域２２ｈは、発光領域２２ｂの左側に位置し、発光領域２２ｂに隣接する。
【００４７】
図６（ａ）は、変形例に係る、光源２０が正常な場合の液晶パネル１０に表示されたテルテール１００ａの一例を示す図であり、図６（ｂ）は、変形例に係る、発光領域２２ａが故障した場合の液晶パネル１０に表示されたテルテール１００ａの一例を示す図である。
【００４８】
図６（ａ）に示すように、表示制御部５０は、発光領域２２ａと発光領域２２ｂが正常な場合、表示領域１２ａと表示領域１２ｂに１つのテルテール１００ａを表示させる。
【００４９】
図６（ｂ）に示すように、表示制御部５０は、発光領域２２ｂが故障し、発光領域２２ｈと発光領域２２ｉが正常な場合、発光領域２２ａと発光領域２２ｂが正常な場合のテルテール１００ａの大きさを維持したまま、テルテール１００ａの表示位置を、表示領域１２ｈおよび表示領域１２ｉに移動させる。表示領域１２ｉは、発光領域２２ｉにより照明される。表示領域１２ｉは、表示領域１２ｈの左側に位置し、表示領域１２ｈに隣接する。発光領域２２ｉは、発光領域２２ｈの左側に位置し、発光領域２２ｈに隣接する。
【００５０】
これらの変形例では、テルテールは１つの表示領域１２のみに表示されないため、テルテールの大きさや配置の自由度を高めることができる。
【００５１】
また、以上の実施形態では、制御部３０が起動信号ＳＡを受信した場合に故障検出が一回行われる一例について説明したが、定期的に故障検出が行われてもよい。図７は、変形例に係る液晶表示装置１の動作を示すフローチャートである。変形例では、Ｓ１４で故障がある場合（Ｓ１４のＹ）、Ｓ２０、Ｓ１６、Ｓ１８の順番で処理が行われること、および、Ｓ１８の後でＳ１２に戻り、Ｓ２２の後でＳ１２に戻ることが上記実施形態と異なる。つまり、故障検出部８０は、複数の発光領域２２の故障を定期的に検出する。表示制御部５０は、発光領域２２ａが故障し、発光領域２２ｂが正常な場合、テルテール１００の表示位置を表示領域１２ｂに移動させる前に、液晶パネル１０に故障を表す情報２００を表示させる。
【００５２】
この変形例では、故障が発生した場合、故障を表す情報２００により、車両を運転中の運転者に液晶表示装置１の故障を認識させてから、テルテール１００の表示位置を移動させることができるので、運転者に違和感を感じさせ難くできる。車両を運転中の運転者が故障を認識する前にテルテール１００の表示位置が突然移動すると、運転者が驚く可能性があるためである。
【００５３】
また、発光領域２２が故障した場合、テルテールの表示位置が移動される方向は、上記実施形態の例に限定されない。発光領域２２が故障した場合、テルテールの表示位置は、移動可能であれば、テルテールが表示される表示領域１２の下の表示領域１２に移動されてもよいし、テルテールが表示される表示領域１２の上の表示領域１２に移動されてもよいし、テルテールが表示される表示領域１２の斜め方向の表示領域１２に移動されてもよい。
【００５４】
また、対称軸ＡＸ１は、液晶パネル１０の中心付近とは異なる位置を上下方向に通ってもよいし、左右方向に通ってもよい。
【００５５】
また、液晶表示装置１は、目立たせたい特定の画像を含む画像を表示する表示装置であれば、液晶メータに限らない。即ち、特定の画像は、テルテールに限らない。
【００５６】
本発明の一態様は、次の通りである。
［項目１］
画像を表示する液晶パネルと、
前記液晶パネルを照明する複数の発光領域を含む光源と、
前記光源の前記複数の発光領域の故障を検出し、故障した発光領域と正常な発光領域を特定する故障検出部と、
前記液晶パネルに画像を表示させる表示制御部と、を備え、
前記表示制御部は、前記故障した発光領域と前記正常な発光領域が存在する場合、前記故障した発光領域に対応する前記液晶パネルの表示領域に表示される特定の画像を、前記正常な発光領域に対応する前記液晶パネルの表示領域に、大きさを維持したまま移動させる、
ことを特徴とする液晶表示装置。
この態様によると、光源の一部が故障した場合に、特定の画像の表示を維持しつつ、特定の画像の視認性の低下を抑制できる。
【００５７】
［項目２］
前記液晶パネルは、車両に搭載され、
前記表示制御部は、前記特定の画像として前記車両のテルテールを表示させる、
ことを特徴とする項目１に記載の液晶表示装置。
この場合、光源の一部が故障した場合に、テルテールの表示を維持しつつ、テルテールの視認性の低下を抑制できる。従って、光源の一部が故障した場合であっても、テルテールを目立たせることができる。
【００５８】
［項目３］
前記表示制御部は、
前記液晶パネルの一部の表示領域に画像を非表示にさせ、
前記故障した発光領域に対応する前記液晶パネルの表示領域に表示される前記特定の画像を、前記正常な発光領域に対応する前記液晶パネルの非表示の表示領域に、大きさを維持したまま移動させる、
ことを特徴とする項目１または２に記載の液晶表示装置。
この場合、発光領域が故障した場合に、特定の画像を、画像が非表示の表示領域に移動させるので、他の画像に影響を及ぼさないようにできる。
【００５９】
［項目４］
前記表示制御部は、
画像を表示している前記液晶パネルの表示領域に対応する発光領域の輝度を第１の値に設定し、
画像を非表示の前記液晶パネルの表示領域に対応する発光領域の輝度を、前記第１の値より低い第２の値に設定し、
前記故障した発光領域に対応する前記液晶パネルの表示領域に表示される前記特定の画像を、画像を非表示の前記液晶パネルの表示領域に、大きさを維持したまま移動させるとき、当該表示領域に対応する発光領域の輝度を前記第２の値から前記第１の値に増加させる、
ことを特徴とする項目３に記載の液晶表示装置。
この場合、光源の消費電力を抑制でき、光源の発熱を抑制でき、画像のコントラストを向上できる。
【００６０】
［項目５］
前記表示制御部は、前記故障した発光領域に対応する前記液晶パネルの表示領域に表示される前記特定の画像を、前記故障した発光領域に隣接している前記正常な発光領域に対応する前記液晶パネルの表示領域に、大きさを維持したまま移動させる、
ことを特徴とする項目１から４のいずれかに記載の液晶表示装置。
この場合、特定の画像を移動させた場合における特定の画像の移動距離を最小にできる。従って、運転者に違和感を感じさせ難くできる。
【００６１】
［項目６］
前記表示制御部は、前記故障した発光領域に対応する前記液晶パネルの表示領域に表示される前記特定の画像を、前記正常な発光領域に対応する前記液晶パネルの表示領域に、大きさを維持したまま移動させるとき、前記特定の画像と対となる画像も、前記特定の画像と線対称な位置に移動させる、
ことを特徴とする項目１から５のいずれかに記載の液晶表示装置。
この場合、対称性を保ったまま特定の画像および特定の画像と対となる画像を移動させるので、一方のみを移動させる場合と比較して、運転者に違和感を感じさせ難くできる。
【００６２】
［項目７］
前記表示制御部は、前記故障した発光領域に対応する前記液晶パネルの表示領域に表示される前記特定の画像を、前記正常な発光領域に対応する前記液晶パネルの表示領域に、大きさを維持したまま移動させるとき、前記特定の画像以外の画像の表示位置を維持する、
ことを特徴とする項目１から５のいずれかに記載の液晶表示装置。
この場合、画像の変更を最小限にできる。従って、運転者に違和感を感じさせ難くできる。
【００６３】
［項目８］
前記故障検出部は、前記複数の発光領域の故障を定期的に検出し、
前記表示制御部は、前記故障した発光領域に対応する前記液晶パネルの表示領域に表示される前記特定の画像を、前記正常な発光領域に対応する前記液晶パネルの表示領域に、大きさを維持したまま移動させる前に、前記液晶パネルに故障を表す情報を表示させる、
ことを特徴とする項目１から７のいずれかに記載の液晶表示装置。
この場合、故障が発生した場合に、故障を表す情報により、車両を運転中の運転者に液晶表示装置の故障を認識させてから、特定の画像の表示位置を移動させることができるので、運転者に違和感を感じさせ難くできる。
【符号の説明】
【００６４】
１…液晶表示装置、１０…液晶パネル、１２，１２ａ，１２ｂ，１２ｃ，１２ｄ，１２ｅ，１２ｆ，１２ｈ，１２ｉ…表示領域、２０…光源、２２，２２ａ，２２ｂ，２２ｃ，２２ｄ，２２ｅ，２２ｆ，２２ｈ，２２ｉ…発光領域、５０…表示制御部、８０…故障検出部、１００，１００ａ，１０２，１０４，１０６…テルテール、ＡＸ１…対称軸。
【図１】
2018159796.tif 000003
【図２】
2018159796.tif 000004
【図３】
2018159796.tif 000005
【図４】
2018159796.tif 000006
【図５】
2018159796.tif 000007
【図６】
2018159796.tif 000008
【図７】
2018159796.tif 000009